(57)【要約】  光源（１２）と、第１の走査器（１４）と、第１の走査転送要素（１６）と、第２の走査器（１８）と、第２の走査転送要素（２０）とを備える検眼鏡（１０）であって、検眼鏡（１０）が、眼（２２）の瞳孔点における見掛けの点源から眼底まで入射光の２次元走査線を提供し、検眼鏡（１０）が、眼底からの戻り光の２次元走査線の逆走査を行って、第１の走査器における見掛けの点源からの戻り光を提供し、第１の走査転送要素が、眼底からの戻り光の収差補正を行うために定められている形状を有する自由形態要素を備える、検眼鏡（１０）。【選択図】  図１
2017526466.tif 000002
【特許請求の範囲】
【請求項１】
光源と、第１の走査器と、第１の走査転送要素と、第２の走査器と、第２の走査転送要素とを備える検眼鏡であって、
当該検眼鏡が、眼の瞳孔点における見掛けの点源から眼底まで入射光の２次元走査線を提供し、
当該検眼鏡が、前記眼底からの戻り光の前記２次元走査線の逆走査を行って、前記第１の走査器における前記見掛けの点源からの前記戻り光を提供し、
前記第１の走査転送要素が、前記眼底からの前記戻り光の収差補正を行うために定められている形状を有する自由形態要素を備える、検眼鏡。
【請求項２】
前記自由形態要素が反射要素を備える、請求項１に記載の検眼鏡。
【請求項３】
前記自由形態要素が静的要素を備える、請求項１または２に記載の検眼鏡。
【請求項４】
前記自由形態要素は、該自由形態要素における略直行する第１の軸線および第２の軸線の各々において湾曲を含む形状を有する、請求項１〜３のいずれか一項に記載の検眼鏡。
【請求項５】
前記第１の軸線に沿う前記湾曲が楕円によって定められる、請求項４に記載の検眼鏡。
【請求項６】
前記第２の軸線に沿う前記湾曲が所定の数学的関数によって定められる、請求項４に記載の検眼鏡。
【請求項７】
前記所定の数学的関数が少なくとも１つの多項式関数を含む、請求項６に記載の検眼鏡。
【請求項８】
前記自由形態要素が実質的に長方形形状であり、前記自由形態要素の前記第１の軸線が前記長方形形状の長軸線に対して或る角度にあり、前記自由形態要素の前記第２の軸線が前記長方形形状の短軸線に対して或る角度にある、請求項４〜７のいずれか一項に記載の検眼鏡。
【請求項９】
前記自由形態要素が、前記戻り光の収差補正を行って前記眼底のいずれかの部位からの前記戻り光を生成するために定められている形状を有し、前記戻り光が、前記第１の走査器において前記見掛けの点源において、光の進行方向に略直交しており前記自由形態要素の第２の軸線に略平行である光の方向に略均一な発散を有する、請求項１〜８のいずれか一項に記載の検眼鏡。
【請求項１０】
前記第１の走査器の後に配置されているレンズをさらに備え、
前記レンズが、前記戻り光を合焦させて、光の進行方向に略直交しており前記自由形態要素の前記第２の軸線に略平行である光の前記方向にコリメートされた前記眼底のいずれかの部位からの前記戻り光を生成するために使用される、請求項９に記載の検眼鏡。
【請求項１１】
前記眼底からの前記戻り光の前記２次元走査線が前記戻り光の複数のビームを含み、前記戻り光の各ビームが前記眼底の異なる部位から発生している、請求項１〜１０のいずれか一項に記載の検眼鏡。
【請求項１２】
前記自由形態要素が、前記戻り光の前記各ビームの収差補正を行って前記戻り光の前記ビームを生成するために定められている形状を有し、前記戻り光の前記ビームが、前記第１の走査器において前記見掛けの点源において、前記ビームの進行方向に略直交しており前記自由形態要素の第２の軸線に略平行である前記ビームの方向に略均一な発散を有する、請求項１１に記載の検眼鏡。
【請求項１３】
前記第１の走査器の後に配置されているレンズをさらに備え、
前記レンズが、前記眼底の異なる部位から発生している前記戻り光の前記複数のビームを合焦させて、光の進行方向に略直交しており前記自由形態要素の前記第２の軸線に略平行である光の前記方向にコリメートされた前記戻り光の前記ビームを生成するために使用される、請求項１２に記載の検眼鏡。
【請求項１４】
前記自由形態要素が、前記眼底上の前記入射光の収差補正を行うために定められている形状を有する、請求項１〜１３のいずれか一項に記載の検眼鏡。
【請求項１５】
少なくとも１つのレンズと開口とを備える眼底戻り光分離装置をさらに備える、請求項１〜１４のいずれか一項に記載の検眼鏡。
【請求項１６】
前記レンズが非球面レンズである、請求項１５に記載の検眼鏡。
【請求項１７】
前記開口がスリット状開口である、請求項１５または請求項１６に記載の検眼鏡。
【請求項１８】
前記レンズが、前記第１の走査器を介して前記眼底からの前記戻り光を受光するために前記検眼鏡内に配置されており、前記眼底との共焦点平面において前記戻り光のラインに前記眼底戻り光を合焦させる、請求項１５〜１７のいずれか一項に記載の検眼鏡。
【請求項１９】
前記スリット状開口は、その長軸線が前記戻り光の前記ラインに略平行であり、前記戻り光の前記ラインが該スリット状開口を実質的に通過するように、前記眼底との前記共焦点平面において前記戻り光の光路において前記レンズの後に前記検眼鏡内に配置されている、請求項１８に記載の検眼鏡。
【請求項２０】
請求項１〜１９のいずれか一項に記載の検眼鏡において使用するための第１の走査転送要素。
【請求項２１】
請求項１〜１９のいずれか一項に記載の検眼鏡において使用するための第１の走査転送要素の形状を定める方法であって、
（i）前記検眼鏡を備えるシステムの光学的描写を構築するステップと、
（ii）前記システムに複数の光線を通過させるステップと、
（iii）前記システムを通る前記光線の経路を決定するステップと、
（iv）前記光線の前記経路を使用して、角度の関数として前記検眼鏡の前記要素のうちの少なくともいくつかの収差を測定するステップと、
（v）前記収差の測定を使用して前記第１の走査転送要素の形状を決定するステップと
を含む、方法。
【発明の詳細な説明】
【技術分野】
【０００１】
本発明は、検眼鏡のおよびそれに関連する改善に関し、詳細には、検眼鏡の収差を補正し共焦点性を改善することに関する。
【背景技術】
【０００２】
検眼鏡は、光源からの入射光を、検眼鏡の対物面と一致する被験者の眼底の一部分上に導き、検出システムにおいて被験者の眼底の一部分からの戻り光を収集するためのシステムを備える。入射光および戻り光を導き収集するためにいくつかの走査要素および走査転送要素が通常使用され、収集された戻り光は、被験者の眼底の一部分の画像を形成するために使用される。いくつかの検眼鏡、例えば白色光、ウルトラワイドフィールド検眼鏡では、走査要素と走査転送要素との光学特性により、これらの検眼鏡に収差が存在する。要素によって入射光と戻り光とにもたらされる収差は、眼底上の光の位置に応じて変動する。収差は、コリメートビームからの光の焦点ぼけを引き起こすことがあり、この焦点ぼけも、眼底上の光の位置に応じて変動する。眼底戻り光の検出において標準の共焦点開口が使用される場合、システマティック収差により、眼底戻り光の一部が失われることがあり、例えば、角膜戻り光に対する眼底戻り光の信号対雑音が損なわれ得る。
【発明の概要】
【０００３】
本発明の第１の態様によれば、光源と、第１の走査器と、第１の走査転送要素（ｓｃａｎ  ｔｒａｎｓｆｅｒ  ｅｌｅｍｅｎｔ）と、第２の走査器と、第２の走査転送要素とを備える検眼鏡が提供され、
この検眼鏡は、眼の瞳孔点における見掛けの点源から眼底まで入射光の２次元走査線（ｔｗｏ−ｄｉｍｅｎｔｉｏｎ  ｓｃａｎ  ｏｆ  ｉｎｃｉｄｅｎｔ  ｌｉｇｈｔ）を提供し、
この検眼鏡は、眼底からの戻り光の２次元走査線の逆走査を行って、第１の走査器における見掛けの点源からの戻り光を提供し、
第１の走査転送要素は、眼底からの戻り光の収差補正を行うために定められている形状を有する自由形態要素（ｆｒｅｅ−ｆｏｒｍ  ｅｌｅｍｅｎｔ）を備える。
【０００４】
自由形態要素は、眼の瞳孔点における入射光の見掛けの点源と、第１の走査器における戻り光の見掛けの点源とを維持しながら、収差補正を行う。
【０００５】
自由形態要素は反射要素を備え得る。自由形態要素は静的要素（ｓｔａｔｉｃ  ｅｌｅｍｅｎｔ）を備え得る。
【０００６】
自由形態要素は、要素の第１および第２の略直交する軸線の各々において湾曲を含む形状を有し得る。第１の軸線に沿う湾曲は楕円によって定められ得る。第１の軸線に沿う湾曲は放物線によって定められ得る。第２の軸線に沿う湾曲は所定の数学的関数によって定められ得る。所定の数学的関数は少なくとも１つの多項式関数を備え得る。所定の数学的数は多項式関数の組合せを備え得る。
【０００７】
自由形態要素は形状が略長方形であり得る。要素の第１の軸線は長方形形状の長軸線と実質的に一致し得、要素の第２の軸線は長方形形状の短軸線と実質的に一致し得る。要素の第１の軸線は長方形形状の長軸線に対して或る角度にあり得、要素の第２の軸線は長方形形状の短軸線に対して或る角度にあり得る。
【０００８】
自由形態要素は、戻り光の収差補正を行って眼底のいずれかの部位からの戻り光を生成するために定められている形状を有し得、戻り光は、第１の走査器における見掛けの点源において、光の進行方向に略直交しており自由形態要素の第２の軸線に略平行である光の方向に略均一な発散を有する。
【０００９】
検眼鏡は、第１の走査器の後に配置されているレンズを備え得、レンズは、戻り光を合焦させて、光の進行方向に略直交しており自由形態要素の第２の軸線に略平行である光の方向にコリメートされた眼底のいずれかの部位からの戻り光を生成するために使用される。自由形態要素の成形が眼底のいずれかの部位からの戻り光の略均一な発散を生成するとき、眼底のいずれかの部位からの戻り光のコリメーションを生成するために同じレンズが使用され得る。
【００１０】
眼底の２次元走査線は戻り光の複数のビームを含み得、戻り光の各ビームは眼底の異なる部位から発生している。自由形態要素は、眼底の異なる部位から発生している戻り光の複数のビームの収差補正を行って戻り光のビームを生成するために定められている形状を有し得、戻り光のビームは、第１の走査器における見掛けの点源において、ビームの進行方向に略直交しており自由形態要素の第２の軸線に略平行であるビームの方向に略均一な発散を有する。
【００１１】
検眼鏡は、第１の走査器の後に配置されているレンズを備え得、レンズは、眼底の異なる部位から発生している戻り光の複数のビームを合焦させて、光の進行方向に略直交しており自由形態要素の第２の軸線に略平行である光の方向にコリメートされた戻り光のビームを生成するために使用される。自由形態要素の成形が眼底のいずれかの部位からの戻り光の略均一な発散を生成するとき、眼底の各部位からの戻り光のビームの各々のコリメーションを生成するために同じレンズが使用され得る。
【００１２】
自由形態要素は、眼底上の入射光の収差補正を行うために定められている形状を有し得る。自由形態要素は、入射光の収差補正を行って眼底のいずれかの部位において入射光を生成するために定められている形状を有し得、入射光は、眼の瞳孔点における見掛けの点源において、光の進行方向に略直交しており自由形態要素の第２の軸線に略平行である光の方向に略均一な発散または収束を有する。
【００１３】
眼底上の入射光の２次元走査線は入射光の複数のビームを含み得、入射光の各ビームは眼底の異なる部位に入射している。自由形態要素は、眼底の異なる部位に入射している入射光の複数のビームの収差補正を行って入射光のビームを生成するために定められている形状を有し得、入射光のビームは、眼の瞳孔点における見掛けの点源において、ビームの進行方向に略直交しており自由形態要素の第２の軸線に略平行であるビームの方向に略均一な発散を有する。
【００１４】
自由形態要素は、要素の第１の軸線が略垂直軸線を形成し、要素の第２の軸線が略水平軸線を形成するように、検眼鏡内に配置され得る。自由形態要素は、要素の第１の軸線が略水平軸線を形成し、要素の第２の軸線が略垂直軸線を形成するように、検眼鏡内に配置され得る。自由形態要素は、要素の第１の軸線が検眼鏡の垂直軸線に対して或る角度にあり、要素の第２の軸線が検眼鏡の水平軸線に対して対応する角にあるように、検眼鏡内に配置され得る。
【００１５】
検眼鏡における収差補正は、眼底から戻り光の共焦点検出の改善を実現する。検眼鏡における戻り光の共焦点検出は、眼の角膜および検眼鏡の要素など、他の構造から戻る光の検出よりも眼底からの光の検出を強調するために使用される。
【００１６】
収差がない理想的な検眼鏡では、眼の入口点における入射光の各ビームは、ビームの進行方向に直交するビームのすべての方向においてコリメートされる。入射光のビームは、次いで、眼によって合焦されて、眼底の部位上に合焦れた入射光が形成される。眼底の部位からの戻り光は、眼の出口点において戻り光のビームに眼によって焦点をぼかされる。戻り光のビームは、眼の出口点においてビームの進行方向に直交するビームのすべての方向においてコリメートされる。従来のピンホール開口が眼底との共焦点平面に位置する場合、開口の前に位置するレンズは、眼底からの戻り光のビームを合焦させて、眼底との共焦点平面における開口を通過させることになる。他の構造からの戻り光は、ピンホール開口において、すなわち眼底との共焦点平面において焦点を形成せず、したがって、大部分はフィルタによるように除去（以下「フィルタ除去」）される。
【００１７】
検眼鏡では、特にワイドフィールド検眼鏡では、入射光と戻り光とに収差がもたらされた場合、戻り光の各ビームは、眼の出口点においてビームの進行方向に直交するビームのすべての方向においてコリメートされない。従来のピンホール開口が眼底との共焦点平面に位置する場合、開口の前に位置するレンズは、眼底からの戻り光のビームのすべてが眼底との共焦点平面における開口を通過するように、ビームを合焦させることが不可能になる。したがって、或る割合の眼底戻り光が失われる。これは、より大きいサイズを有するカスタマイズされた開口の使用によって補償され得るが、これは、他の構造からのより多くの光が開口を通過することを可能にする。
【００１８】
本発明の検眼鏡では、収差の補正により、戻り光の各ビームのコリメーションが改善される。したがって、従来のピンホール開口が眼底との共焦点平面に位置する場合、開口の前に位置するレンズは、開口を通して眼底からの戻り光のビームを合焦させることがより可能である。これは、収差補正がない検眼鏡に勝る、眼底戻り光の共焦点検出の改善につながる。眼の角膜および検眼鏡の要素など、他の構造からの戻り光は、眼底との共焦点平面において、すなわち開口において焦点を形成せず、フィルタ除去され得る。
【００１９】
検眼鏡は、少なくとも１つのレンズと開口とを備える眼底戻り光分離装置をさらに備え得る。レンズは非球面レンズであり得る。開口はスリット状開口であり得る。スリット状開口は、例えば約２ｍｍの第１の長い寸法と、例えば約２５０μｍの第２の短い寸法とを備え得る。
【００２０】
レンズは、第１の走査器を介して眼底から戻り光を受光するために検眼鏡内に配置され得る。レンズは、眼底戻り光を、眼底との共焦点平面において戻り光のラインに合焦させ得る。スリット状開口は、検眼鏡内で、眼底との共焦点平面において、戻り光の光路においてレンズの後に配置され得る。スリット状開口は、それの第１の軸線が戻り光のラインに略平行であり戻り光のラインがスリット状開口を実質的に通過するように、検眼鏡内に配置され得る。
【００２１】
眼の角膜および検眼鏡の要素など、他の構造からの戻り光は、レンズによって光のラインに合焦されず、スリット状開口を実質的に通過せず、すなわち実質的にフィルタ除去される。これは眼底戻り光の共焦点検出の改善につながる。
【００２２】
検眼鏡は、眼の網膜への入射光の収差補正を行うように設計されている形状を有する静的位相マスクをさらに備え得る。
【００２３】
検眼鏡はワイドフィールド検眼鏡を備え得る。検眼鏡はウルトラワイドフィールド検眼鏡を備え得る。検眼鏡は反射モードで動作し得る。検眼鏡は蛍光モードで動作し得る。検眼鏡は光コヒーレンストモグラフィのために使用され得る。
【００２４】
眼底への言及が行われる場合、これは、限定はしないが、眼の網膜、視神経乳頭、黄斑、中心窩、後極、ブルック膜および脈絡膜を含むものと理解されたい。
【００２５】
本発明の第２の態様によれば、本発明の第１の態様の検眼鏡において使用するための第１の走査転送要素が提供される。
【００２６】
本発明の第３の態様によれば、本発明の第１の態様の検眼鏡において使用するための第１の走査転送要素の形状を定める方法が提供され、本方法は、
（i）検眼鏡を備えるシステムの光学的描写を構築するステップと、
（ii）システムに複数の光線を通過させるステップと、
（iii）システムを通る光線の経路を決定するステップと、
（iv）光線の経路を使用して、角度の関数として検眼鏡の要素のうちの少なくともいくつかの収差を測定するステップと、
（v）収差測定を使用して第１の走査転送要素の形状を決定するステップと
を含む。
【００２７】
本方法は、モデル眼の収差の補償をさらに提供することができる。本方法は、
（i）検眼鏡とモデル眼とを備えるシステムの光学的描写を構築するステップと、
（ii）システムに複数の光線を通過させて、モデル眼の表面上に複数の角度で入射させるステップと、
（iii）システムを通る光線の経路を決定するステップと、
（iv）光線の経路を使用して、角度の関数として検眼鏡の要素とモデル眼とのうちの少なくともいくつかの収差を測定するステップと、
（v）収差測定を使用して第１の走査転送要素の形状を決定するステップと
を含み得る。
【００２８】
次に、本発明の実施形態について、単に例として、添付の図面を参照しながら説明する。
【図面の簡単な説明】
【００２９】
【図１】本発明の第１の態様による検眼鏡の実施形態の概略図である。
【図２】図１の検眼鏡において使用される本発明の第２の態様による第１の走査転送要素の概略図である。
【図３】図１の検眼鏡の眼底戻り光分離装置の上面図の概略図である。
【図４】図１の検眼鏡において使用される図２の第１の走査転送要素の形状を定める方法のフローチャートである。
【発明を実施するための形態】
【００３０】
図１を参照すると、検眼鏡１０は、光源１２と、第１の走査器１４と、第１の走査転送要素１６と、第２の走査器１８と、第２の走査転送要素２０とを備える。光源１２は、入射光の複数の連続ビームを生成するように動作する。第１の走査器１４は回転多角形体であり、光源１２から入射光ビームを受ける。この実施形態では、第１の走査器１４は、３本のビームによって表されるように入射光ビームの垂直走査線を提供する。第１の走査転送要素１６は、以下でさらに説明する、自由形態静的反射要素である。第１の走査転送要素１６は第１の焦点と第２の焦点とを有し、図示のように、第１の走査器１４が第１の焦点と一致し、第２の走査器１８が第２の焦点と一致するように検眼鏡１０内に配置される。したがって、第１の走査転送要素１６は、第１の走査器１４から第２の走査器１８に入射光ビームの垂直走査線を転送する。第２の走査器１８は、ステッパーモーターによって駆動されるフラットなミラーであり、この実施形態では、入射光ビームの水平走査線を提供する。第２の走査転送要素２０は非球面ミラーであり、第１の焦点と第２の焦点とを有する。第２の走査転送要素２０は、図示のように、第２の走査器１８が第１の焦点と一致し、被験者の眼２２の瞳孔点が第２の焦点と一致するように検眼鏡１０内に配置される。したがって、第２の走査転送要素２０は、第２の走査器１８から入射光ビームの水平走査線を、瞳孔点を通って眼２２の眼底上に転送する。
【００３１】
したがって、第１の走査器１４、第１の走査転送要素１６、第２の走査器１８、および第２の走査転送要素２０は、眼２２の眼底において入射光ビームの２次元走査線を提供するように共に動作する。２次元入射光走査線は、眼２２の瞳孔点における見掛けの点源から発生するように見え、入射光の複数のビームを含み、入射光の各ビームは眼２２の眼底の異なる部位に入射している。
【００３２】
眼２２の眼底からの戻り光は、検眼鏡１０の反射動作モードと蛍光動作モードの両方において、眼２２の眼底からの戻り光の２次元走査線を形成する。戻り光の２次元走査線は戻り光の複数のビームを含み、戻り光の各ビームは眼底の異なる部位から発生している。戻り光の２次元走査線は、眼２２の瞳孔点と、第２の走査転送要素２０と、第２の走査器１８と、第１の走査転送要素１６と、第１の走査器１４とを通って戻る。これらは、戻り光の２次元走査線を逆走査して、第１の走査器１４からの戻り光の複数のビームを提供するように働く。戻り光の複数のビームは、第１の走査器１４における見掛けの点源から発生するように見える。第１の走査器１４は、入射光の複数のビームが光源１２から受けられる方向に戻り光ビームの各々を投射する。戻り光のビームは、ビームスプリッタ２４によって入射光経路から分離され、検出器（図示せず）に結合される。検出器からの時系列の測定値は、戻り光の２次元走査線を形成し、眼２２の眼底の画像を生成するために使用される。
【００３３】
図１および図２を参照すると、第１の走査転送要素１６は、眼底からの戻り光の収差補正を行うために定められている形状を有する自由形態要素を備える。自由形態要素１６は、要素の第１および第２の略直交する軸線の各々において湾曲を含む形状を有する。第１のｙ軸線に沿う湾曲は楕円によって定められ、第２のｘ軸線に沿う湾曲は、１つまたは複数の多項式関数を含む所定の数学的関数によって定められる。自由形態要素１６は形状が略長方形であり、要素の第１の軸線ｙは、図示のように長方形形状の長軸線に対して或る角度にあり、要素の第２の軸線ｘは、図示のように長方形形状の短軸線に対して或る角度にある。自由形態要素１６の第１の軸線ｙに沿う楕円湾曲は、第１の走査器１４と第２の走査器１８とがそれぞれ一致する要素の第１の焦点と第２の焦点とを提供する。自由形態要素１６のこの形状および配置は、眼２２の瞳孔点における入射光の見掛けの点源と、第１の走査器１４における戻り光の見掛けの点源とを維持しながら、収差補正を行う。
【００３４】
この実施形態では、自由形態要素１６は、要素の第１のｙ軸線が略垂直軸線を形成し、要素の第２のｘ軸線が略水平軸線を形成するように、検眼鏡１０内に配置される。しかしながら、自由形態要素は、要素の第１の軸線が略水平軸線を形成し、要素の第２の軸線が略垂直軸線を形成するように、検眼鏡内に配置され得ることは理解されよう。
【００３５】
自由形態要素１６の形状は、眼底の異なる部位から発生している第１の走査器１４における見掛けの点源における戻り光のビームの各々の収差補正を生成するように定められる。これは、第１の走査器１４における見掛けの点源において、ビームの進行方向に略直交しており、自由形態要素１６の第２の軸線、すなわち、この実施形態では、戻りビームの水平寸法に略平行であるビームの方向に略均一な発散を有する、戻り光のビームを生成する。自由形態要素１６は戻り光のビームの各々の水平寸法の収差を補正する。自由形態要素１６の収差補正は、戻り光のビームの垂直寸法の収差補正を生じない。戻り光のビームの各々は異なる収束／発散垂直寸法を有する。
【００３６】
自由形態要素１６の形状はまた、眼２２の眼底の異なる部位に入射する入射光のビームの各々の収差補正を与える。これは、眼２２の瞳孔点における見掛けの点源において、ビームの進行方向に略直交しており、自由形態要素１６の第２の軸線、すなわち、この実施形態では、入射ビームの水平寸法に略平行であるビームの方向に略均一な発散を有する、入射光のビームを生成する。
【００３７】
図１および図３を参照すると、検眼鏡１０は、第１の走査器１４とビームスプリッタ２４とを介して眼２２の眼底からの戻り光のビームを受けるために検眼鏡１０内に配置されている戻り光検出装置３０を備える。戻り光検出装置３０は、コリメーティングレンズ３２と、非球面または球面レンズである合焦レンズ３４と、スリット状開口３６とを備える。スリット状開口３６は、約２ｍｍの第１の長い寸法と、約２５０μｍの第２の短い寸法とを備える。
【００３８】
コリメーティングレンズ３２は、レンズは、眼底の異なる部位から発生している戻り光の複数のビームを合焦させて、光の進行方向に略直交しており自由形態要素１６の第２の軸線、すなわち、この実施形態では、戻りビームの水平寸法に略平行である光の方向にコリメートされた戻り光のビームを生成するために使用される。自由形態要素１６の成形が眼底のいずれかの部位からの戻り光のビームの略均一な発散を生成するとき、眼底の各部位からの戻り光のビームの各々のコリメーションを生成するために同じレンズ３２が使用され得る。
【００３９】
合焦レンズ３４およびスリット状開口３６は、図示のように、戻り光の各ビームの経路に関してコリメーティングレンズ３２の後に配置される。スリット状開口３６は、眼２２の眼底との共焦点平面内に配置される。合焦レンズ３４は、合焦レンズ３４が眼底共焦点平面において戻り光の各ビームを合焦させるように、スリット状開口３６の前に配置される。第１の走査転送要素１６の第２のｘ軸線に平行な、戻り光の各ビームの水平または幅寸法において、ビームがコリメートされる。戻り光のビームの垂直または高さ寸法では、ビームは収束または発散している。合焦レンズ３４は、眼底からの戻り光の各ビームを合焦させて、レンズ３４の光軸の上および下に延びている戻り光のラインを形成する。スリット状開口３６の第１の長い軸線は、戻り光の各ラインに略平行に配置され、戻り光の各ビームによって生成された光のラインは、スリット状開口３６を実質的に通過し、検出される。
【００４０】
眼２２の角膜および検眼鏡１０の要素など、他の構造からの戻り光は、合焦レンズ３４によって光のラインに合焦されず、スリット状開口３６を実質的に通過せず、すなわち実質的にフィルタ除去される。これは眼底戻り光の共焦点検出の改善につながる。
【００４１】
図４を参照すると、図１の検眼鏡１０において使用される図２の自由形態の第１の走査転送要素１６の形状を定める方法が示されている。これは、検眼鏡（４０）を備えるシステムの光学的描写を構築するステップと、システム（４２）に複数の光線を通過させるステップと、システム（４４）を通る光線の経路を決定するステップと、光線の経路を使用して、角度（４６）の関数として検眼鏡の要素のうちの少なくともいくつかの収差を測定するステップと、収差測定を使用して自由形態要素（４８）の形状を決定するステップとを含む。本方法はさらに、検眼鏡とモデル眼とを備えるシステムの光学的描写を構築するステップと、システムに複数の光線を通過させて、モデル眼の表面上に複数の角度で入射させるステップと、システムを通る光線の経路を決定するステップと、光線の経路を使用して、角度の関数として検眼鏡の要素とモデル眼とのうちの少なくともいくつかの収差を測定するステップと、収差測定を使用して自由形態要素の形状を決定するステップとによる、モデル眼の収差の補償を提供し得る。
【図１】
2017526466.tif 000003
【図２】
2017526466.tif 000004
【図３】
2017526466.tif 000005
【図４】
2017526466.tif 000006
【国際調査報告】
2017526466.tif 000007
2017526466.tif 000008